(57)【要約】【課題】使い勝手がよく、また、メンテナンス性がよく、さらに、施工性がよく、安価な誘導加熱調理器を提供することを目的とする。【解決手段】分離独立した複数の誘導加熱装置１０、３０と、この誘導加熱装置１０、３０の交流電源コード１１、３１を１つの交流電源コード４１へ変換する接続端子装置４０とを備えたものである。これによって、複数の誘導加熱装置１０、３０を調理スペースに合わせたり、自由に組み合わせたりすることができ、使い勝手がよく、また、誘導加熱装置１０、３０の１つが故障などしても、残りの誘導加熱装置は使用できメンテナンス性がよく、さらに、交流電源が１個で施工性がよく、安価な誘導加熱調理器を提供することができる。【選択図】図１
2009059492.tif 000002
【特許請求の範囲】
【請求項１】
分離独立した複数の誘導加熱装置と、複数の誘導加熱装置の交流電源コードを１つの交流電源コードへ変換する接続端子装置とを備えた誘導加熱調理器。
【請求項２】
接続端子装置は、誘導加熱装置からのノイズを低減するフィルタ回路を有する請求項１に記載の誘導加熱調理器。
【請求項３】
接続端子装置のフィルタ回路を、複数の誘導加熱装置内部のフィルタ回路より強化した請求項２に記載の誘導加熱調理器。
【請求項４】
接続端子装置は、接続端子装置を構成する電子部品の温度上昇抑制用の冷却手段を有する請求項１〜３のいずれか１項に記載の誘導加熱調理器。
【請求項５】
誘導加熱装置の排気で接続端子装置を冷却するようにした請求項１〜３のいずれか１項に記載の誘導加熱調理器。
【請求項６】
接続端子装置は発熱防止手段により冷却するようにした請求項１〜３のいずれか１項に記載の誘導加熱調理器。
【請求項７】
接続端子装置は電源遮断スイッチを有し、この電源遮断スイッチにより複数の誘導加熱装置の電源を同時に遮断するようにした請求項１〜６のいずれか１項に記載の誘導加熱調理器。
【請求項８】
接続端子装置は、交流電源が通電中か非通電かを表示する状態表示手段を有する請求項１〜７のいずれか１項に記載の誘導加熱調理器。
【請求項９】
接続端子装置は、交流電源が通電中か非通電かを知らせる報知手段を有する請求項１〜８のいずれか１項に記載の誘導加熱調理器。
【発明の詳細な説明】
【技術分野】
【０００１】
本発明は、一般家庭やレストランおよびオフィスなどで使用される多口の誘導加熱調理器に関するものである。
【背景技術】
【０００２】
従来、この種の多口の誘導加熱調理器は、１つの外郭ケース内に複数の誘導加熱装置を装備したものである（例えば、特許文献１参照）。
【特許文献１】特開２００５−１５８３２９号公報
【発明の開示】
【発明が解決しようとする課題】
【０００３】
しかしながら、前記従来の構成では、複数の誘導加熱装置が１つの外郭ケース内にあるので、使用者の調理スペースに合わせることや複数の誘導加熱装置の組み合わせを自由に選択することが難しい、また、誘導加熱装置の１つが故障などした場合でも修理中は全ての誘導加熱装置が使用できない、という課題を有していた。
【０００４】
本発明は、前記従来の課題を解決するもので、調理スペースに合わせたり、複数の誘導加熱装置の組み合わせが自由に選択できるようにしたりして使い勝手がよく、また、誘導加熱装置の１つが故障などしても、残りの誘導加熱装置は使用できメンテナンス性がよく、さらに、交流電源が１個で施工性がよく、安価な誘導加熱調理器を提供することを目的とする。
【課題を解決するための手段】
【０００５】
前記従来の課題を解決するために、本発明の誘導加熱調理器は、分離独立した複数の誘導加熱装置と、複数の誘導加熱装置の交流電源コードを１つの交流電源コードへ変換する接続端子装置とを備えたものである。
【０００６】
これによって、複数の誘導加熱装置を調理スペースに合わせたり、自由に組み合わせたりすることができ、使い勝手がよく、また、誘導加熱装置の１つが故障などしても、残りの誘導加熱装置は使用できメンテナンス性がよく、さらに、交流電源が１個で施工性がよく、安価な誘導加熱調理器を提供することができる。
【発明の効果】
【０００７】
本発明の誘導加熱調理器は、使い勝手がよく、また、メンテナンス性がよく、さらに、施工性がよく、安価な誘導加熱調理器を提供することができる。
【発明を実施するための最良の形態】
【０００８】
第１の発明は、分離独立した複数の誘導加熱装置と、複数の誘導加熱装置の交流電源コードを１つの交流電源コードへ変換する接続端子装置とを備えた誘導加熱調理器とすることにより、複数の誘導加熱装置を調理スペースに合わせたり、自由に組み合わせたりすることができ、使い勝手がよく、また、誘導加熱装置の１つが故障などしても、残りの誘導加熱装置は使用できメンテナンス性がよく、さらに、交流電源が１個で施工性がよく、安価な誘導加熱調理器を提供することができる。
【０００９】
第２の発明は、特に、第１の発明において、接続端子装置は、誘導加熱装置からのノイズを低減するフィルタ回路を有することにより、交流電源コードの引き回しや接続端子によるノイズの増加を考慮しなくてもよいので、メンテナンス性のよい誘導加熱調理器を提供することができる。
【００１０】
第３の発明は、特に、第２の発明において、接続端子装置のフィルタ回路を、複数の誘導加熱装置内部のフィルタ回路より強化したことにより、複数の誘導加熱装置内部のフィルタ回路を簡略化でき、安価な構成で誘導加熱調理器を提供することができる。
【００１１】
第４の発明は、特に、第１〜第３のいずれか１つの発明において、接続端子装置は、接続端子装置を構成する電子部品の温度上昇抑制用の冷却手段を有することにより、接続端子装置を構成する電子部品の温度上昇を抑制し、使い勝手のよい誘導加熱調理器を提供することができる。
【００１２】
第５の発明は、特に、第１〜第３のいずれか１つの発明において、誘導加熱装置の排気で接続端子装置を冷却するようにしたことにより、排気利用で冷却手段なしの安価な構成で誘導加熱調理器を提供することができる。
【００１３】
第６の発明は、特に、第１〜第３のいずれか１つの発明において、接続端子装置は発熱防止手段により冷却するようにしたことにより、発熱防止手段としては放熱板、ペルチェー素子などを用いることで、接続端子装置内の冷却を行うことができる。
【００１４】
第７の発明は、特に、第１〜第６のいずれか１つの発明において、接続端子装置は電源遮断スイッチを有し、この電源遮断スイッチにより複数の誘導加熱装置の電源を同時に遮断するようにしたことにより、省エネで、安全で、使い勝手のよい誘導加熱調理器を提供することができる。
【００１５】
第８の発明は、特に、第１〜第７のいずれか１つの発明において、接続端子装置は、交流電源が通電中か非通電かを表示する状態表示手段を有することにより、使い勝手のよい誘導加熱調理器を提供することができる。
【００１６】
第９の発明は、特に、第１〜第８のいずれか１つの発明において、接続端子装置は、交流電源が通電中か非通電かを知らせる報知手段を有することにより、使い勝手のよい誘導加熱調理器を提供することができる。特に、報知手段としてブザーやスピーカーなどからなる音声で報知する手段とすれば、使用者へ確実に交流電源が通電中か非通電かを知らせることができる。
【００１７】
以下、本発明の実施の形態について、図面を用いて説明する。なお、この実施の形態によって本発明が限定されるものではない。
【００１８】
（実施の形態１）
図１〜図３は、本発明の実施の形態１における誘導加熱調理器の構成を示すものである。
【００１９】
図１に示すように、第１の誘導加熱装置１０には、第１の外郭ケース１の上部に第１のトッププレート２が設けられている。第１のトッププレート２には誘導加熱により鍋などの調理容器を加熱する第１の加熱部４が設けられている。さらに、第１の操作部５が第１の外郭ケース１の前面上部に設けられている。
【００２０】
同様に、第２の誘導加熱装置３０には、第２の外郭ケース２１の上部に第２のトッププレート２２が設けられている。第２のトッププレート２２には誘導加熱により鍋などの調理容器を加熱する第２の加熱部２４が設けられている。さらに、第２の操作部２５が第２の外郭ケース２１の前面上部に設けられている。
【００２１】
そして、分離独立した第１、第２の誘導加熱装置１０、３０は、それぞれの交流電源コード１１、３１を１つの交流電源コード４１へ変換するよう接続端子装置４０で接続されている。
【００２２】
ここで、図２に示すように、第１のトッププレート２の加熱部４上方には鍋などの調理容器３を載置するものであり、下方には第１の加熱コイル６が設けられている。また、第１の加熱コイル６の下方には第１の加熱コイル６を制御する第１のインバータ回路７と第１のインバータ回路７を動作させるための第１の制御手段８が設けられている。さらに、第１のトッププレート２の下部には調理容器３の温度を検出するサーミスタなどからなる第１の温度検出手段９を設けている。第１の制御手段８はこの第１の温度検出手段９の温度情報により第１のインバータ回路７を動作させて第１の加熱コイル６の高周波電流を制御して調理容器３の出力レベルを制御する。
【００２３】
また、第１の外郭ケース１内には第１の加熱コイル６と第１のインバータ回路７を冷却するための第１の冷却ファン１２を設けている。この第１の冷却ファン１２は第１の制御手段８で制御されている。
【００２４】
また、図３に示すように、第１の誘導加熱装置１０には、第１のインバータ回路７から発生するノイズを商用電源５０側へ流出しないように抑制する第１のフィルタ回路１３を設けている。
【００２５】
第１の誘導加熱装置１０と同様、第２の誘導加熱装置３０も同じ構成となっている。すなわち、第２のトッププレート２２の下方には第２の加熱コイル２６が設けられ、第２の加熱コイル２６の下方には第２の加熱コイル２６を制御する第２のインバータ回路２７と第２のインバータ回路２７を動作させるための第２の制御手段２８が設けられている。また、第２のトッププレート２２の下部には、調理容器３の温度を検出するサーミスタなどからなる第２の温度検出手段（図示せず）を設けている。さらに、第２の誘導加熱装置３０に設けている第２のフィルタ回路３３は、第２のインバータ回路２７から発生するノイズを商用電源５０側へ流出しないように抑制している。
【００２６】
そして、接続端子装置４０にはフィルタ回路４３と電源コード接続手段４２を設けており、電源コード接続手段４２は第１の交流電源コード１１と第２の交流電源コード３１を接続してフィルタ回路４３へ接続している。
【００２７】
フィルタ回路４３は、第１の誘導加熱装置１０や第２の誘導加熱装置３０から発生するノイズが第１の交流電源コード１１や第２の交流電源コード３１の引き回し、あるいは電源コード接続手段４２によるノイズの増加に対して、交流電源コード４１から商用電源５０へノイズが流出しないように抑制している。これにより、交流電源コードの引き回しや接続端子によるノイズの増加を考慮しなくても自由に誘導加熱装置を接続することができる。同時に、商用電源５０への接続が１個でよいので電気工事の施工性がよいものである。
【００２８】
なお、本実施の形態では２口の誘導加熱装置としているが、３口以上の誘導加熱装置でもよい。例えば、３口の誘導加熱装置で加熱部の出力レベルは２０００Ｗ、１２００Ｗ、２０００Ｗの組み合わせで、配置は横一列に並べるなど、使用者が調理スペースに合わせて自由に選択することができる。
【００２９】
また、複数の誘導加熱装置のうち１つが故障した場合は、故障した誘導加熱装置を電源コード接続手段４２から取り外して交換または修理を簡単に行うことができる。そして、修理中には故障していない他の誘導加熱装置は使用できるので、メンテナンス性・サービス性がよいものである。
【００３０】
なお、接続端子装置４０のフィルタ回路４３を、第１、第２のフィルタ回路１３、３３よりも強化することで、誘導加熱装置内部のフィルタ回路１３、３３を簡略し安価な構成にすることもできる。
【００３１】
また、複数の誘導加熱装置内部のフィルタ回路１３、３３で十分な場合は、接続端子装置４０のフィルタ回路４３がなくてもよく、少しだけ必要な場合はフェライトコアを交流電源コード４１に巻くだけでよい。
【００３２】
以上のように、本実施の形態における誘導加熱調理器では、複数の誘導加熱装置を調理スペースに合わせたり、自由に組み合わせたりすることができ、使い勝手がよく、また、誘導加熱装置の１つが故障などしても、残りの誘導加熱装置は使用できメンテナンス性がよく、さらに、交流電源が１個で施工性がよく、安価な誘導加熱調理器を提供することができる。
【００３３】
（実施の形態２）
図４は、本発明の実施の形態２における誘導加熱調理器の構成を示すものである。実施の形態１と同一要素については同一符号を付してその説明を省略する。
【００３４】
図に示すように、本実施の形態における誘導加熱調理器は、誘導加熱装置の出力レベルが高出力の場合、接続端子装置４０を構成するフィルタ回路４３や電源コード接続手段４２の電子部品の温度が上昇するので、冷却ファンなどからなる冷却手段４４により電子部品の温度上昇を抑制するようにしている。
【００３５】
冷却手段４４の電源は接続端子装置４０内の交流電源をそのまま利用するか、また、交流電源を整流し直流電源にして利用する。また、冷却手段４４は接続端子装置４０に流れる電流を電流検知手段４５が検知した時に駆動するものである。
【００３６】
なお、本実施の形態では接続端子装置４０内の冷却を冷却手段４４で行っているが、接続端子装置４０を誘導加熱装置１０、３０の少なくとも一方の排気口からの排気を利用する（例えば、接続端子装置４０を排気口の直後に設置する）ことで冷却手段４４をなくして接続端子装置４０内の冷却を行ってもよい。この場合、冷却手段４４なしの安価な構成で冷却が行える。
【００３７】
また、誘導加熱装置１０、３０の少なくとも一方の排気口から接続端子装置４０までの間に冷却路を設けて排気を導くようにすると、接続端子装置４０を誘導加熱装置の排気口の直後に設置するなどしなくても冷却効果を得ることができる。
【００３８】
また、冷却手段４４の代わりに、放熱板、ペルチェー素子などからなる発熱防止手段を設けることで、冷却手段４４をなくして接続端子装置４０内の冷却を行ってもよい。この場合、冷却手段４４がないので接続端子装置４０を密閉構成とすることができるので、接続端子装置４０を防水、防塵にすることで安全性を向上させることができる。
【００３９】
（実施の形態３）
図５は、本発明の実施の形態３における誘導加熱調理器の構成を示すものである。実施の形態１と同一要素については同一符号を付してその説明を省略する。
【００４０】
図に示すように、本実施の形態における誘導加熱調理器は、接続端子装置４０に電源遮断スイッチ４６を設けて、電源遮断スイッチ４６により複数の誘導加熱装置１０、３０の電源を同時に遮断、通電できるようにしている。
【００４１】
また、接続端子装置４０にはＬＥＤ、液晶などからなる状態表示手段４７を設けており、これは電源遮断スイッチ４６が通電中か非通電かを表示するようになっている。
【００４２】
また、接続端子装置４０にはブザーやスピーカーなどからなり音声で電源遮断スイッチ４６が通電中か非通電かを報知する報知手段４８を設けており、電源遮断スイッチ４６の通電中、非通電を音声で知らせるようになっている。
【００４３】
なお、本実施の形態では接続端子装置４０に電源遮断スイッチ４６や状態表示手段４７や報知手段４８を設けているが、これらを誘導加熱装置の近傍に設置すれば、使用者の使い勝手がよくなる。
【産業上の利用可能性】
【００４４】
以上のように、本発明にかかる誘導加熱調理器は、使い勝手がよく、また、メンテナンス性がよく、さらに、施工性がよく、安価な誘導加熱調理器を提供することができるので、誘導加熱を行う一般家庭やレストランおよびオフィスなどで使用される加熱調理器全般に適用できる。
【図面の簡単な説明】
【００４５】
【図１】本発明の実施の形態１における誘導加熱調理器の斜視図
【図２】同誘導加熱調理器の第１の誘導加熱装置での加熱状態を示すブロック図
【図３】同誘導加熱調理器の回路構成を示すブロック図
【図４】本発明の実施の形態２における誘導加熱調理器の接続端子装置を示すブロック図
【図５】本発明の実施の形態３における誘導加熱調理器の接続端子装置を示すブロック図
【符号の説明】
【００４６】
４  第１の加熱部
６  第１の加熱コイル
７  第１のインバータ回路
８  第１の制御手段
９  第１の温度検出手段
１０  第１の誘導加熱装置
１３  第１のフィルタ回路
２４  第２の加熱部
２６  第２の加熱コイル
２７  第２のインバータ回路
２８  第２の制御手段
３０  第２の誘導加熱装置
３３  第２のフィルタ回路
４０  接続端子装置
４２  電源コード接続手段
４３  フィルタ回路
４４  冷却手段
４５  電流検知手段
４６  電源遮断スイッチ
４７  状態表示手段
４８  報知手段
５０  商用電源
【図１】
2009059492.tif 000003
【図２】
2009059492.tif 000004
【図３】
2009059492.tif 000005
【図４】
2009059492.tif 000006
【図５】
2009059492.tif 000007